(57)【特許請求の範囲】
【請求項１】
電線と対象物とが所定の距離以上互いに離れているか否かを判定する離隔判定装置であって、
前記所定の距離に対応する直径を有する球体と、
長尺な棒状に形成され、先端側において前記球体を支持するロッド部と、
前記球体の表面の一部に設けられ、前記電線との接触を検出する接触検出手段とを備え、
前記接触検出手段は、
カップ状に形成され、前記球体の表面の一部を覆っている接触端子部と、
前記接触端子部が前記電線に接触したことを視覚的にまたは音により作業者に知らせる報知部とを備えていることを特徴とする離隔判定装置。
【請求項２】
前記球体の中心が前記ロッド部の軸線から外れた位置となるように前記球体を前記ロッド部の先端側に支持するアーム部を備えていることを特徴とする請求項１に記載の離隔判定装置。
【請求項３】
前記アーム部は、その一端側が前記ロッド部の先端に接続され、他端側が前記球体に接続され、当該他端側が前記ロッド部の軸線から外れた位置へ直線状に、途中で屈曲して、または湾曲しながら伸長する棒状の部材であることを特徴とする請求項２に記載の離隔判定装置。
【請求項４】
前記アーム部は、その前記一端側に対して前記他端側が俯仰動し、前記球体の位置を変えることを特徴とする請求項３に記載の離隔判定装置。
【請求項５】
前記球体は前記ロッド部から分離可能であることを特徴とする請求項１ないし４のいずれかに記載の離隔判定装置。
【請求項６】
前記ロッド部は伸縮可能であることを特徴とする請求項１ないし５のいずかに記載の離隔判定装置。
【発明の詳細な説明】
【技術分野】
【０００１】
本発明は、電線と、電線を含む種々の対象物との間が所定の距離以上互いに離れているか否かを判定する離隔判定装置に関する。
【背景技術】
【０００２】
引込線または通信線を配置するに当たり、引込線と通信線との間は所定距離（例えば３０ｃｍ）以上互いに離す必要がある。この点は、電気・通信設備等に関する法令ないし技術基準に規定されている。このため、作業者は、引込線または通信線を設置または点検する際に、引込線と通信線とが所定距離以上互いに離れているか否かを確認する。
【０００３】
現在、引込線と通信線とが所定距離以上互いに離れているか否かを確認する方法として多く採用されている方法は、目測である。この他にも、引込線と通信線のそれぞれの地上高と、引込線と通信線との間の一平面上の距離を測定し、これらの測定結果を用いて引込線と通信線との間隔を計算により求める方法もある。また、引込線と通信線とが最も接近する箇所を探し出して、その箇所における引込線と通信線との間隔を定規で測る方法もある。さらに、下記の特許文献１および２にそれぞれ示すように、測定用の器具を用いる方法もある。
【先行技術文献】
【特許文献】
【０００４】
【特許文献１】登録実用新案第３０４５９８３号公報
【特許文献２】特開２０１２−２４４７９５号公報
【発明の概要】
【発明が解決しようとする課題】
【０００５】
しかしながら、引込線と通信線とが所定距離以上互いに離れているか否かを目測で確認することは容易ではなく、また正確性を欠く。すなわち、引込線も通信線も、作業者の頭上の高い場所等、作業者から離れた場所に配置されている場合が多いため、目測が困難である。また、引込線と通信線とは互いに平行であるとは限らず、引込線と通信線の伸長方向がそれぞれ異なり、両者が空中で互いに立体的に交差している場合が多い。このため、引込線と通信線とが所定距離以上互いに離れているか否かを目測で正確に測ることは難しい。
【０００６】
また、上述したように引込線と通信線のそれぞれの地上高と、引込線と通信線との間の一平面上の距離を測定し、これらの測定結果を用いて引込線と通信線との間隔を計算により求める方法は、測定する箇所が多く、かつ計算を行わなければならないため、作業工数が多く、時間がかかる。また、上述したように引込線と通信線とが最も接近する箇所を探し出し、その箇所における引込線と通信線との間隔を定規で測る方法は、引込線と通信線とが最も接近する箇所を正確に探し出すのが困難である。
【０００７】
また、特許文献１に記載の測定用の器具は、高圧架線と地上との間隔を測定した後、建造物と地上との間隔を測定し、その差を求めることにより高圧架線と建造物との離隔距離を測るものである。この器具を用いた測定方法では、高圧架線の地上高と建造物の地上高との２箇所の地上高を測らなければならず、作業工数が多い。また、引込線と通信線とが水平方向に互いに離れて配置されている場合には、この器具を用いて引込線と通信線との間隔を測ることは困難である。
【０００８】
また、特許文献２に記載の測定用の器具では、引込線と通信線とが互いに平行に配置されている場合には確認が簡単であるが、引込線と通信線とが立体的に交差している場合には確認は容易でない。また、この器具を用いて確認作業を効率よく行うためには、器具を電線に取り付ける作業と、器具を電線の敷設方向に移動させる作業とをそれぞれ行う二人の作業者が必要となり、作業が大がかりになってしまう。
【０００９】
本発明は例えば上述したような問題に鑑みなされたものであり、本発明の課題は、電線と対象物とが所定距離以上互いに離れているか否かを簡易かつ正確に判定することができる離隔判定装置を提供することにある。
【課題を解決するための手段】
【００１０】
上記課題を解決するために、本発明の第１の離隔判定装置は、電線と対象物とが所定の距離以上互いに離れているか否かを判定する離隔判定装置であって、前記所定の距離に対応する直径を有する球体と、長尺な棒状に形成され、先端側において前記球体を支持するロッド部とを備えていることを特徴とする。
【００１１】
また、上述した本発明の第１の離隔判定装置は、前記球体の表面の一部に設けられ、前記電線との接触を検出する接触検出手段を備えていることを特徴とする。
【００１２】
また、上述した本発明の第１の離隔判定装置において、前記接触検出手段は、前記球体の表面の一部に設けられた接触端子部と、前記接触端子部が前記電線に接触したことを視覚的にまたは音により作業者に知らせる報知部とを備えていることを特徴とする。
【００１３】
また、上述した本発明の第１の離隔判定装置において、前記接触端子部は、カップ状に形成され、前記球体の表面の一部を覆っていることを特徴とする。
【００１４】
また、本発明の第２の離隔判定装置は、上述した本発明の第１の離隔判定装置において、前記球体の中心が前記ロッド部の軸線から外れた位置となるように前記球体を前記ロッド部の先端側に支持するアーム部を備えていることを特徴とする。
【００１５】
また、本発明の第３の離隔判定装置は、上述した本発明の第２の離隔判定装置において、前記アーム部は、その一端側が前記ロッド部の先端に接続され、他端側が前記球体に接続され、当該他端側が前記ロッド部の軸線から外れた位置へ直線状に、途中で屈曲して、または湾曲しながら伸長する棒状の部材であることを特徴とする。
【００１６】
また、本発明の第４の離隔判定装置は、上述した本発明の第３の離隔判定装置において、前記アーム部は、その前記一端側に対して前記他端側が俯仰動し、前記球体の位置を変えることを特徴とする。
【００１７】
また、本発明の第５の離隔判定装置は、上述した本発明の第１ないし第４のいずれかの離隔判定装置において、前記球体は前記ロッド部から分離可能であることを特徴とする。
【００１８】
また、本発明の第６の離隔判定装置は、上述した本発明の第１ないし第５のいずれかの離隔判定装置において、前記ロッド部は伸縮可能であることを特徴とする。
【発明の効果】
【００１９】
本発明によれば、電線と対象物とが所定距離以上互いに離れているか否かを簡易かつ正確に判定することができる。
【図面の簡単な説明】
【００２０】
【図１】本発明の実施形態による離隔判定装置を引込線、通信線および作業者と共に示す説明図である。
【図２】図１中の離隔判定装置、引込線、通信線および作業者を上から見た説明図である。
【図３】本発明の実施形態による離隔判定装置において、ロッド部を収縮させ、球状ユニットをアーム部から取り外した状態を示す説明図である。
【図４】本発明の実施形態による離隔判定装置の詳細な構造を示す説明図である。
【図５】本発明の実施形態による離隔判定装置において、球状ユニットを引込線と通信線との間に様々な角度で挿入する様子を示す説明図である。
【図６】本発明の実施形態による離隔判定装置において、球状ユニットを引込線と通信線との間に様々な方向から挿入する様子を示す説明図である。
【図７】本発明の実施形態による離隔判定装置において、ロッド部に対し、球状ユニットの位置が変化する様子を示す説明図である。
【図８】本発明の実施形態による離隔判定装置において、球状ユニットの位置を変化させるアーム部の構造のいくつかの具体例を示す説明図である。
【図９】本発明の実施形態による離隔判定装置において、アーム部に対し、球状ユニットが回転可能であることを示す説明図である。
【発明を実施するための形態】
【００２１】
以下、本発明の実施の形態について図面を参照しながら説明する。図１は本発明の実施形態による離隔判定装置を引込線、通信線および作業者と共に示している。図２は、図１中の離隔判定装置、引込線、通信線および作業者を上から見た状態を示している。図３は、図１中の離隔判定装置において、ロッド部を収縮させ、球状ユニットをアーム部から取り外した状態を示している。図４は図１中の離隔判定装置の詳細な構造を示している。
【００２２】
図１において、本発明の実施形態による離隔判定装置１は、電線と対象物とが所定距離以上互いに離れているか否かを判定する装置である。本実施形態では、電線として引込線２を例にあげ、対象物として通信線３を例にあげる。引込線２には例えば１００Ｖまたは２００Ｖの交流電流が流れる。通信線３は弱電線であり例えば電話線である。このような例の場合、引込線２と通信線３とは互いに３０ｃｍ以上離して設置する必要があるので、上記所定距離は３０ｃｍである。以下、上記所定距離を「最小離隔距離」という。
【００２３】
図１に示すように、引込線２および通信線３は作業者の上方の、作業者から離れた位置にある。例えば、引込線２および通信線３は地上から５ｍ〜６ｍの高さにある。また、図２に示すように、引込線２と通信線３とは伸長方向がそれぞれ異なり、互いに立体的に交差している。また、引込線２の方が通信線３よりも上方に配置されている。
【００２４】
図１に示すように、離隔判定装置１は、球状ユニット１１と、球状ユニット１１を支持するロッド部１２と、球状ユニット１１をロッド部１２に接続すると共に球状ユニット１１のロッド部１２に対する位置を定めるアーム部１３と、球状ユニット１１が引込線２に接触したことを検出する接触検出部１４とを備えている。
【００２５】
球状ユニット１１は、球体２１と、球体２１の上半球部の表面を覆う検出端子部５１とを備えている。球体２１は真球であり、例えば発砲スチロール等の軽量な絶縁材料により形成されている。球体２１を軽量にすることで、引込線２と通信線３とが最小離隔距離以上互いに離れているか否かを判定する作業および離隔判定装置１の運搬を容易にすることができる。
【００２６】
また、球体２１の直径は、最小離隔距離と対応する値に設定されている。例えば、球体２１の直径は、最小離隔距離と等しい値に設定されている。なお、球体２１の直径を、引込線２および通信線３の半径、検出端子部５１の厚さ、および許容誤差等を最小離隔距離から引いた値に設定してもよい。また、球体２１の直径を、最小離隔距離に所定の調整値を加えた値に設定してもよい。
【００２７】
また、図４に示すように、球体２１は、検出端子部５１と共に、軸部材２２を介してアーム部１３に取り付けられている。すなわち、球体２１には、その直径に沿って貫く小径の軸挿入孔２１Ａが形成され、軸挿入口２１Ａ内には軸部材２２が嵌め合わさるように挿入されている。軸部材２２は例えばアルミニウム等の軽量な金属材料により円筒状に形成され、その両端部にはそれぞれ雌ねじが形成されている。軸部材２２が挿入された球体２１の上側に検出端子部５１を被せ、検出端子部５１の周縁部の２箇所に形成された小径の孔５１Ａの位置を、軸部材２２の両端に形成された雌ねじの位置にそれぞれ合わせ、一方の雌ねじには雄ねじ２３を挿入して締結し、他方の雌ねじには、アーム部１３の雄ねじ部４１を挿入して締結する。これにより、球体２１は検出端子部５１と共にアーム部１３に取り付けられる。
【００２８】
また、図３に示すように、球状ユニット１１は、アーム部１３から取り外すことができ、ロッド部１２から分離することができる。球状ユニット１１の分離は、球状ユニット１１を軸部材２２の軸線周りに軸部材２２ごと回転させ、アーム部１３の雄ねじ部４１から、軸部材２２の他方の雌ねじを外せばよい。例えば離隔判定装置１を運搬または保管するときには、球状ユニット１１をアーム部１３から取り外す。これにより、運搬、保管が容易になる。なお、球状ユニット１１とアーム部１３とが接続された状態を維持し、アーム部１３をロッド部１２から取り外す構造としてもよい。
【００２９】
ロッド部１２は、図１に示すように、長尺な棒状の部材であり、複数本（例えば３本）の円筒部材３１、３２、３３をそれぞれ連結することにより構成されている。各円筒部材３１、３２、３３は、例えばアルミニウム、カーボンファイバー等の強度のある軽量な材料により形成されている。また、ロッド部１２は伸縮可能に形成されている。ロッド部１２は、図３に示すように収縮した状態では長さが例えばおよそ１．５ｍ〜２ｍであるが、図１に示すように伸張した状態では長さが例えばおよそ４ｍ〜６ｍである。作業者は、ロッド部１２を伸長させることにより、作業者から離れた位置にある引込線２と通信線３との間隔を判定することができる。具体的には、作業者は、地上高がおよそ５ｍ〜６ｍの引込線２と通信線３との間隔を地面に立った状態で判定することができる。また、作業者は、ロッド部１２を収縮させることにより、離隔判定装置１の運搬および保管を容易に行うことができる。
【００３０】
ロッド部１２の伸縮構造は、例えば振り出し竿や多段伸長型三脚等に採用されている周知の構造を用いることができる。例えば円筒部材３１、３２、３３は図３に示すようにそれぞれ入れ子になっており、図１に示すようにロッド部１２の伸長状態では、円筒部材３１の上端と円筒部材３２の下端とが互いに嵌着または締結されて固定され、かつ円筒部材３２の上端と円筒部材３３の下端とが互いに嵌着または締結されて固定される。なお、円筒部材３１、３２、３３をそれぞれ分離し、円筒部材３１の上端、円筒部材３２の両端、および円筒部材３３の下端にそれぞれねじ部を形成し、ねじ部を介して、円筒部材３１と円筒部材３２とを連結し、円筒部材３２と円筒部材３３とを連結する構造としてもよい。
【００３１】
アーム部１３は、図４に示すように、アルミニウム、ステンレス、樹脂等により棒状に形成されている。アーム部１３の下端側はロッド部１２の円筒部材３３の上端側に固定されている。また、アーム部１３の上端部には雄ねじ部４１が形成されている。上述したように、雄ねじ部４１に、球体２１に挿入された軸部材２２の雌ねじを挿入し締結することにより、アーム部１３の上端側に球状ユニット１１が取り付けられる。
【００３２】
また、アーム部１３の下端部は、ロッド部１２（円筒部材３３）の上端側に固定された状態でロッド部１２の軸線Ｐ上に位置している。一方、アーム部１３はその上端側がロッド部１２の軸線Ｐから離れる方向に湾曲している。この結果、アーム部１３の上端部は、ロッド部１２の軸線Ｐ上から外れた位置にある。アーム部１３の湾曲の程度は、図４に示すように、アーム部１３の下端および上端を通る直線をＱとした場合に、軸線Ｐと直線Ｑとが交わる角度Ｒが例えば１５度ないし７５度、好ましくは４５度となるように設定されている。
【００３３】
接触検出部１４は、上述したように、球状ユニット１１が引込線２に接触したことを検出する。接触検出部１４は、検出端子部５１と報知部５２とを備えている。検出端子部５１は、導電性材料によりカップ状に形成され、図４に示すように、球体２１の上半球部分の表面の例えば全部を覆うように球体２１に取り付けられている。
【００３４】
報知部５２は、ロッド部１２の円筒部材３１に取り付けられている。報知部５２は、視覚情報出力手段としてのＬＥＤ（発光ダイオード）５３と、音声情報出力手段としてのブザー５４と、制御回路５５とを備えており、ＬＥＤ５３およびブザー５４は制御回路５５に電気的に接続されている。また、検出端子部５１は制御回路５５と配線５６を介して電気的に接続されている。配線５６はアーム部１３およびロッド部１２の内部に配設されている。なお、アーム部１３およびロッド部１２を導電性材料により形成し、検出端子部５１、アーム部１３およびロッド部１２をそれぞれ接触させると共に、ロッド部１２と制御回路５５の入力端子とを配線を介して接続し、これにより、検出端子部５１と制御回路５５との電気的接続を実現してもよい。
【００３５】
検出端子部５１が引込線２に接触したとき、検出端子部５１から制御回路５５へ電気信号が入力され、これに応じ、制御回路５５がＬＥＤ５３を点滅させると共に、ブザー５４から警報音を出力させる。接触検出部１４の電気的構成として、検電器の電気的構成を採用することができる。また、接触検出部１４の電気的構成として、静電容量方式のタッチセンサの電気的構成を採用してもよい。また、ＬＥＤ５３に代えてディスプレイ装置を設けてもよいし、ブザー５４に代えてスピーカを設けてもよい。
【００３６】
報知部５２を取り付ける位置は、ロッド部１２を持って作業をする作業者がＬＥＤ５３の点滅を確認しやすい位置とすることが望ましい。例えばロッド部１２を持って作業をする作業者の目とほぼ同じ高さとなる位置に報知部５２を配置することが望ましい。
【００３７】
作業者は、離隔判定装置１を用いて、引込線２と通信線３とが最小離隔距離以上互いに離れているか否かを例えば次のように判定する。まず、作業者は、球状ユニット１１をアーム部１３に取り付け、ロッド部１２を伸長させる。続いて、作業者は、図１に示すように、引込線２と通信線３とが立体的に交差する箇所の下方に立ち、ロッド部１２の下端側を把持し、球状ユニット１１を引込線２と通信線３との間に挿入させることを試みる。球状ユニット１１が引込線２と通信線３との間を、引込線２および通信線３の双方に接触することなく通り抜けた場合には、引込線２と通信線３とは最小離隔距離以上互いに離れていると判定することができる。一方、球状ユニット１１が引込線２と通信線３との双方に接触してしまい、引込線２と通信線３との間を通り抜けることができない場合には、引込線２と通信線３とは最小離隔距離以上互いに離れていないと判定することができる。
【００３８】
ここで、図５および図６は、作業者が離隔判定装置１を用いて引込線２と通信線３とが最小離隔距離以上互いに離れているか否かを判定する作業（離隔判定作業）の態様を示している。離隔判定装置１では、引込線２と通信線３とが最小離隔距離以上互いに離れているか否かを、最小離隔距離に対応する直径を有する球体２１を用いて判定する。すなわち、最小離隔距離か否かの判定基準を提供する部分を球体２１とした。これにより、図５に示すように、球状ユニット１１を引込線２と通信線３との間にどのような角度で挿入しても、引込線２と通信線３とが最小離隔距離以上互いに離れているか否かを正確に判定することができる。したがって、作業者がロッド部１２を、図５（１）に示すように一方に傾けても、図５（２）に示すように他方に傾けても、引込線２と通信線３との離隔判定作業を行うことができる。例えば、引込線２と通信線３とが立体的に交差している箇所の真下に障害物があり、作業者がその場所に立ち入ることができない場合でも、その場所の周囲の立ち入り可能な場所から、球状ユニット１１を差し向け、球状ユニット１１が引込線２と通信線３との間を通過するか否かを確認することができる。このように、離隔判定装置１によれば、最小離隔距離か否かの判定基準を提供する部分を球体２１としたことにより、離隔判定作業の作業性を向上させることができる。
【００３９】
また、図４に示すように、離隔判定装置１において、アーム部１３の下端および上端を通る直線Ｑとロッド部１２の軸線Ｐとの角度Ｒが例えば４５度であり、これにより、球状ユニット１１の位置（球体２１の中心）がロッド部１２の軸線Ｐから外れた位置に定められている。したがって、図６中の矢示Ａ１〜Ａ４に示すように、作業者が、引込線２と通信線３とが立体的に交差する箇所の真下に立った場合でも、球状ユニット１１を引込線２と通信線３との間に様々な方向から挿入し、球状ユニット１１が両者間を通り抜けるかどうか確かめることができる。よって、引込線２と通信線３とが立体的に交差する箇所の周囲に障害物がある場合でも、作業者は、障害物を避けつつ、球状ユニット１１を引込線２と通信線３との間に挿入可能な方向を任意に選択し、離隔判定作業を行うことができる。これにより、離隔判定作業の作業性を向上させることができる。
【００４０】
また、引込線２と通信線３との間隔が最小離隔距離以上でないにもかかわわらず、球状ユニット１１が、引込線２または通信線３を撓ませ、両者を押し広げ、引込線２と通信線３との間を通り抜けてしまうことが考えられる。このような場合には、検出端子部５１が引込線２に接触し、ＬＥＤ５３が点滅し、ブザー５４から警報音が出力される。これにより、作業者は、引込線２と通信線３とが最小離隔距離以上互いに離れていないと判定することができる。このように、離隔判定装置１によれば、引込線２と通信線３との間隔が最小離隔距離に近い場合でも、両者が最小離隔距離以上互いに離れているか否かを高精度に判定することができる。
【００４１】
特に、離隔判定装置１では、球体２１の上半球部の表面に検出端子部５１が設けられているので、作業者は、球状ユニット１１と引込線２との接触を確実に確認することができる。すなわち、引込線２は通信線３よりも上方に配置されている。このため、作業者が引込線２と通信線３とが立体的に交差している箇所の下方に立って作業をしている場合、作業者は、球状ユニット１１を引込線２と通信線３との間に挿入したとき、球状ユニット１１と引込線２との接触を目で直接確認することができない。なぜなら、球状ユニット１１と引込線２との接触する箇所が球状ユニット１１に隠れてしまうため、作業者はこの箇所を目で見ることができないからである。離隔判定装置１によれば、球状ユニット１１と引込線２とが接触すれば、検出端子部５１がこれを検知し、ＬＥＤ５３が点滅し、ブザー５４から警報音が出力されるので、作業者は、球状ユニット１１と引込線２との接触をＬＥＤ５３またはブザー５４により確実に確認することができる。作業者は、球状ユニット１１と通信線３との接触は、目で直接確認することができるので、球状ユニット１１と引込線２との接触をＬＥＤ５３またはブザー５４により確認することができれば、引込線２と通信線３とが最小離隔距離以上互いに離れているか否かを確実に判定することができる。
【００４２】
さらに、離隔判定装置１では、検出端子部５１がカップ状に形成され、球体２１の上半球部の表面の全部を広く覆っているので、球状ユニット１１と引込線２との接触を検出可能な領域が広い。したがって、図５に示すように、球状ユニット１１を引込線２と通信線３との間に挿入する角度が様々であっても、引込線２と検出端子部５１との接触を確実に検出することができる。
【００４３】
また、離隔判定装置１によれば、引込線２と通信線３とが同一平面上に配置されている場合には、球状ユニット１１を引込線２と通信線３との間に挿入した状態で、球状ユニット１１を引込線２および通信線３が伸長する方向に移動させることにより、引込線２と通信線３とが最も接近する場所を容易に探すことができ、その箇所における両者の間隔を迅速に判定することができる。また、離隔判定装置１によれば、離隔判定作業を作業者一人で簡易に行うことができる。
【００４４】
以上説明したとおり、本発明の実施形態による離隔判定装置１によれば、引込線２と通信線３とが最小離隔距離以上互いに離れているか否かを簡易かつ正確に判定することができる。さらに、上述したように離隔判定作業の作業性および判定精度を向上させることができる。
【００４５】
なお、上述した実施形態では、アーム部１３の下端および上端を通る直線Ｑとロッド部１２の軸線Ｐとの角度Ｒを例えば４５度に設定することにより、アーム部１３の上端に取り付けられた球状ユニット１１の位置をロッド部１２の軸線Ｐから外れた位置に定める場合を例にあげたが、本発明はこれに限らない。図７に示すアーム部６１のように、アーム部の湾曲の程度を変更することができる構造とし、アーム部の下端側に対して先端側を俯仰動可能とし、図４中の角度Ｒを変更可能としてもよい。これにより、離隔判定作業の対象となる電線および対象物、またはこれらの配置に応じ、ロッド部１２に対する球状ユニット１１の位置を変更することができ、様々な状況において高い作業性を実現することができる。このように湾曲の程度を変更可能なアーム部６１は例えばフレキシブルシャフトを用いて実現することができる。
【００４６】
また、アーム部１３は、図４に示すような円弧を描いて湾曲する形状に限定されない。例えば、アーム部を、図８（１）に示すアーム部６２のように、そのほぼ中間部分が屈曲した形状としてもよいし、図８（２）に示すアーム部６３のように、ロッド部１２（円筒部材３３）の先端部から軸線Ｐに対して傾斜しつつ直線状に伸びる形状としてもよい。
【００４７】
また、図９に示すように、球状ユニット１１に回転機構６４を設け、球状ユニット１１が軸部材２２周りを回転可能な構造としてもよい。これにより、球状ユニット１１の上半球部に設けられた検出端子部５１を、球状ユニット１１を回転させることにより、横側、または下側に移動させることができる。図９は、検出端子部５１が下側に移動した状態を示している。このように、球状ユニット１１を回転可能とすることにより、電線や対象物の配置に応じて、離隔判定作業の良好な作業性を確保することができる。
【００４８】
また、上記実施形態では、離隔判定装置１により、引込線２と通信線３とが最小離間距離以上互いに離れているか否かを判定する場合を例にあげたが、本発明はこれに限らない。離隔判定装置１により、他の電線と他の対象物とが所定距離以上互いに離れているか否かを判定してもよい。例えば、離隔判定装置１により引込線と建物とが所定距離以上互いに離れているか否かを判定してもよい。この場合、引込線と建物との間の最小離隔距離が例えば５０ｃｍに規定されているとすると、球体２１の直径を５０ｃｍに対応する値（例えば５０ｃｍと等しい値）にする。また、直径の異なる複数の球体２１を用意し、離隔判定の対象に応じて適切な球体２１を選択し、選択した球体２１をアーム部１３に取り付けて離隔判定作業を行うようにしてもよい。
【００４９】
また、本発明は、請求の範囲および明細書全体から読み取ることのできる発明の要旨または思想に反しない範囲で適宜変更可能であり、そのような変更を伴う離隔判定装置もまた本発明の技術思想に含まれる。
また、上記実施形態は、電線と対象物とが所定の距離以上互いに離れているか否かを判定する離隔判定装置であって、前記所定の距離に対応する直径を有する球体と、長尺な棒状に形成され、先端側において前記球体を支持するロッド部とを備えていることを特徴とする離隔判定装置の具体例でもあり、また、この離隔判定装置において、前記球体の表面の一部に設けられ、前記電線との接触を検出する接触検出手段を備えていることを特徴とする離隔判定装置の具体例でもある。
【符号の説明】
【００５０】
１  離隔判定装置
２  引込線（電線）
３  通信線（対象物）
１１  球状ユニット
１２  ロッド部
１３、６１，６２、６３  アーム部
１４  接触検出部（接触検出手段）
２１  球体
３１〜３３  円筒部材
５１  検出端子部
５２  報知部
６４  回転機構
【要約】
【課題】電線と対象物とが所定距離以上互いに離れているか否かを簡易かつ正確に判定できるようにする。
【解決手段】離隔判定装置１は、引込線２等の電線と通信線３等の対象物とが所定距離以上互いに離れているか否かを判定する装置であり、上記所定距離に対応する直径を有する球体２１を備えた球状ユニット１１と、球状ユニット１１を支持するためのロッド部１２と、球体２１の中心がロッド部１２の軸線から外れた位置となるように球状ユニット１１をロッド部１２の先端側に接続するアーム部１３とを備えている。また、球体２１の表面の一部には検出端子部５１が設けられ、検出端子部５１が引込線２に接触したとき報知部５２のＬＥＤが点滅し、ブザーが鳴る。球状ユニット１１が引込線２と通信線３との間を、引込線２および通信線３の双方に接触することなく通り抜けたとき、引込線２と通信線３とが所定の距離以上互いに離れていると判定することができる。
【選択図】図１【図１】
0005524323.tif 000002
【図２】
0005524323.tif 000003
【図３】
0005524323.tif 000004
【図４】
0005524323.tif 000005
【図５】
0005524323.tif 000006
【図６】
0005524323.tif 000007
【図７】
0005524323.tif 000008
【図８】
0005524323.tif 000009
【図９】
0005524323.tif 000010